(57)【特許請求の範囲】
【請求項１】
紙幣が正常であるか否かを認識する紙幣認識部と、
前記紙幣認識部によって異常と認識された紙幣が収納されるリジェクト庫と、
を備え、
前記リジェクト庫は、開閉に所定の権限を要するユニット外であって、かつ前記紙幣を一時的に収納する着脱可能な一時保留部が外された位置に設けられる、紙幣処理装置。
【請求項２】
前記開閉に所定の権限を要するユニットは、紙幣の収納および繰り出しが可能な１または２以上の紙幣収納部が配置される収納部格納ユニットであり、
前記リジェクト庫は、前記収納部格納ユニット外に設けられる、請求項１に記載の紙幣処理装置。
【請求項３】
前記ユニットまたは前記収納部格納ユニットは、第１の鍵により施錠され、
前記リジェクト庫は、第２の鍵により施錠される、請求項１または２に記載の紙幣処理装置。
【請求項４】
前記紙幣処理装置は、
排出口回収動作を指示された場合に、回収対象の紙幣カセットから紙幣を繰り出し、繰り出した紙幣を前記紙幣認識部へ搬送し、前記紙幣認識部により正常と鑑定された紙幣を排出口に集積し、前記紙幣認識部により異常と鑑定された紙幣を前記リジェクト庫に集積するよう搬送を制御する制御部を備える、請求項１から３のいずれか１項に記載の紙幣処理装置。
【発明の詳細な説明】
【技術分野】
【０００１】
本発明は、紙幣処理装置に関する。
【背景技術】
【０００２】
昨今、金融機関の営業店カウンタに設置される窓口用現金処理機に代表される現金処理装置は、紙幣や硬貨の入金／出金取引、および整理計数等に利用される。職員は、この現金処理装置の操作部または、現金処理装置に接続された受付端末（情報処理装置）から各種操作を行なうことにより、入金／出金などの取引を行うことができる。
【０００３】
このような現金処理装置は、２人のテラー（操作者）間に配設されて、紙幣、硬貨の入出金が可能であった。下記特許文献１では、２人のテラー間に配置して使用する場合に、左右どちらのテラーからでも操作し易いよう紙幣入金口等の配置を変更した構造の循環式貨幣処理装置が開示されている。
【０００４】
また、現金処理装置内の紙幣を回収する際は、回収動作が行われる。回収動作は、例えば下記特許文献１や特許文献２に記載されているように、現金処理装置に着脱可能に設けられた回収用紙幣カセットに、他の紙幣カセットから繰り出した紙幣を搬送して集積する動作である。職員は、回収動作の完了後、回収用紙幣カセットを現金処理装置から取り外して紙幣を回収する。
【先行技術文献】
【特許文献】
【０００５】
【特許文献１】特開２００１−９３０２２号公報
【特許文献２】特開２０１０−２２４６０６号公報
【発明の概要】
【発明が解決しようとする課題】
【０００６】
しかしながら、回収用紙幣カセットを現金処理装置から取り外す際は、通常、回収用紙幣カセットと、金種別に紙幣を集積する複数の紙幣カセットが格納されている紙幣カセット格納ユニット（金庫）を開錠する必要があった。よって、金庫の開錠権限を有する者が不在の場合、職員は紙幣を回収することが出来ず、不便であった。
【０００７】
ここで、回収紙幣を出金口に搬送する回収動作によれば、金庫の開錠権限を有する者でなくとも現金処理装置内の紙幣を回収することができる。しかしながら、回収紙幣は紙幣認識部により異常と鑑定（リジェクト判定）された場合、集積専用のリジェクト庫に搬送することが想定されるが、通常、リジェクト庫は上記紙幣カセット格納ユニット（金庫）に格納されている。よって、金庫の開錠権限を有する者が不在の場合、職員は回収動作においてリジェクト判定された紙幣（リジェクト紙幣）を回収することが出来ず、不便であった。
【０００８】
そこで、本発明は、上記問題に鑑みてなされたものであり、本発明の目的とするところは、リジェクト紙幣の回収における利便性を向上させることが可能な、新規かつ改良された紙幣処理装置を提供することにある。
【課題を解決するための手段】
【０００９】
上記課題を解決するために、本発明のある観点によれば、紙幣が正常であるか否かを認識する紙幣認識部と、前記紙幣認識部によって異常と認識された紙幣が収納されるリジェクト庫と、を備え、前記リジェクト庫は、開閉に所定の権限を要するユニット外であって、かつ前記紙幣を一時的に収納する着脱可能な一時保留部が外された位置に設けられる、紙幣処理装置が提供される。
【００１１】
また、前記開閉に所定の権限を要するユニットは、紙幣の収納および繰り出しが可能な１または２以上の紙幣収納部が配置される収納部格納ユニットであり、前記リジェクト庫は、前記収納部格納ユニット外に設けられてもよい。
【００１２】
また、前記ユニットまたは前記収納部格納ユニットは、第１の鍵により施錠され、前記リジェクト庫は、第２の鍵により施錠されてもよい。
【００１３】
また、前記紙幣処理装置は、排出口回収動作を指示された場合に、回収対象の紙幣カセットから紙幣を繰り出し、繰り出した紙幣を前記紙幣認識部へ搬送し、前記紙幣認識部により正常と鑑定された紙幣を排出口に集積し、前記紙幣認識部により異常と鑑定された紙幣を前記リジェクト庫に集積するよう搬送を制御する制御部を備えてもよい。
【発明の効果】
【００１４】
以上説明したように本発明によれば、リジェクト紙幣の回収における利便性を向上させることが可能である。
【図面の簡単な説明】
【００１５】
【図１】本発明の一実施形態による紙幣処理システムの構成を示した説明図である。
【図２】本発明の一実施形態による紙幣処理装置の内部へアクセスする場合について説明するための図である。
【図３】出金口回収動作における問題点を説明するための図である。
【図４】本発明の一実施形態による紙幣処理装置の内部構造を示す図である。
【図５】本発明の一実施形態による紙幣処理装置の機能構成を示すブロック図である。
【図６】本発明の一実施形態によるダイレクト入金における紙幣の搬送経路を示す図である。
【図７】本発明の一実施形態による出金口回収動作における紙幣の搬送経路を示す図である。
【図８】本発明の変形例による紙幣処理装置について説明するための図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜１．紙幣処理システムの概要＞
まず、図１を参照し、本発明の一実施形態による紙幣処理システムの概要を説明する。
【００１８】
図１は、本発明の一実施形態による紙幣処理システムの構成を示した説明図である。図１に示したように、紙幣処理システムは、紙幣処理装置１０、紙幣処理装置１０に接続される受付端末３０ａ、３０ｂ、専用網３２、および金融機関ホスト３５を含む。図１に示す例では、紙幣処理装置１０に複数の受付端末３０が接続されているが、本実施形態による紙幣処理システムはこれに限定されず、紙幣処理装置１０に単数の受付端末３０が接続されていてもよい。また、各受付端末３０は、専用網３２を介して金融機関ホスト３５に接続する。
【００１９】
紙幣処理装置１０は、金融機関の受付窓口員などの職員による操作に基づいて金銭の取引を実行する職員操作型端末である。この紙幣処理装置１０は、金融機関の営業店などに設置される。
【００２０】
また、紙幣処理装置１０は、図１に示すように、紙幣を投入する入金口１、紙幣を排出する出金口２、表示部１７、および操作部１９を備える。表示部１７は、メニュー画面や処理結果画面を表示する。表示部１７は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。操作部１９は、職員の操作を検出する。操作部１９は、例えば、ボタン、スイッチ、タッチパネル等により実現される。なお、図１においては、表示機能および操作機能が分離して設けられているが、本実施形態により紙幣処理装置１０はこれに限定されず、表示機能および操作機能を一体的に設けてもよい。また、紙幣処理装置１０は、操作検出機能を含む表示部において、職員の操作を誘導する誘導画面を表示させてもよい。
【００２１】
入金口１は、職員が紙幣を投入する投入口である。入金口１には、開口部を開閉するシャッター（不図示）を設けるようにしてもよい。また、入金口１は、束で投入された紙幣を一枚ずつ分離して繰り出す分離機能を有する。
【００２２】
出金口２は、職員が受け取る紙幣が排出される排出口である。出金口２には、開口部を開閉するシャッター（不図示）を設けるようにしてもよい。また、出金口２は、排出する紙幣を集積する集積機能を有する。
【００２３】
受付端末３０は、受付業務を実行する情報処理装置である。受付端末３０は、紙幣処理装置１０と有線または無線により接続し、職員により選択された処理（入金／出金取引、出金口回収、整理計数等）を実行するよう紙幣処理装置１０に指示する。このように、紙幣処理装置１０への操作は、紙幣処理装置１０自体に設けられる操作部１９からの他、紙幣処理装置１０に接続する受付端末３０等の情報処理装置から行うことができる。
【００２４】
専用網３２は、受付端末３０が配置されている営業店、または複数の営業店を含む金融機関におけるネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト３５は、この専用網３２を介して複数の受付端末３０と通信することができる。
【００２５】
金融機関ホスト３５は、専用網３２を介して受付端末３０と、または、受付端末３０を介して紙幣処理装置１０と通信することにより、各種取引を制御する。例えば、金融機関ホスト３５は、顧客の認証を行ったり、職員により指示された入金や振込などの金銭取引（勘定の取引処理）を実行したりする。また、金融機関ホスト３５は、口座番号、暗証番号、氏名、住所、年齢、生年月日、電話番号、職業、家族構成、年収、預金残高などの顧客情報（口座の元帳）を管理する。
【００２６】
本発明の一実施形態は、上述した紙幣処理システムに含まれる紙幣処理装置１０に関する。ここで、本実施形態による紙幣処理装置１０内部の紙幣収納領域にアクセスする場合について図２を参照して説明する。本実施形態による紙幣処理装置１０は、図２左に示すように、装置下部の内部にアクセスするための扉１６が設けられ、扉１６は鍵１４により施錠されている。よって、まず、所定の権限を有する者が鍵１４を開錠する必要がある。
【００２７】
所定の権限を有する者により鍵１４が開錠され、扉１６が開くと、図２右に示すように、装置内部の紙幣収納領域である紙幣カセット収納ユニット１２０（金庫）が露出する。図２右に示すように、紙幣カセット収納ユニット１２０は金庫ダイヤル１５により施錠されているので、所定の権限を有する者が金庫ダイヤル１５を開錠する必要がある。
【００２８】
所定の権限を有する者により金庫ダイヤル１５が開錠されると、紙幣カセット収納ユニット１２０を手前に引き出すことが可能になる。よって、職員は紙幣カセット収納ユニット１２０（紙幣収納領域）にアクセスし、紙幣の補充／回収などの作業を行うことができる。
【００２９】
以上説明したように、紙幣カセット収納ユニット１２０にアクセスするためには所定の権限を有する者により所定の鍵を開錠する必要があり、権限を有さない者による紙幣の補充／回収作業は困難であった。
【００３０】
これに対し、後述する［２−３．基本動作］で説明する「投入口補充」によれば、職員は紙幣カセット収納ユニット１２０にアクセスしなくとも紙幣の補充を行うことができる。一方、同様に後述する「出金口回収」では、通常の紙幣処理装置の構造では全ての紙幣を回収できないという問題があった。以下、図３を参照して具体的に説明する。
【００３１】
図３は、通常の紙幣処理装置１００における出金口回収動作の問題点を説明するための図である。図３に示すように、紙幣処理装置１００は、入金口１、出金口２、一時保留部３、紙幣認識部４、搬送部５、紙幣カセット６Ａ〜６Ｄ、およびリジェクト庫付き紙幣カセット７（以下、紙幣カセット７とも称す）を有する。リジェクト庫付き紙幣カセット７は、紙幣収納庫２８およびリジェクト庫２９を有する。
【００３２】
また、紙幣カセット６Ａ〜６Ｄおよび紙幣カセット７は、装置下部に配置される紙幣格納ユニット１２０に格納され、紙幣格納ユニット１２０は金庫ダイヤル１５により施錠されている。また、紙幣格納ユニット１２０が配置される装置下部には扉１６が設けられ、扉１６は鍵１４により施錠されている。
【００３３】
上記構造を有する紙幣処理装置１００において出金口動作が実行されると、図３の矢印で示すように、まず紙幣カセット６Ａ〜６Ｄのうち回収対象の紙幣カセットから紙幣が１枚ずつ繰り出され、紙幣認識部４に搬送される。そして、紙幣認識部４により正常と鑑別された紙幣は出金口２に搬送され、職員は紙幣カセット収納ユニット１２０にアクセスすることなく、出金口２から紙幣を回収することができる。
【００３４】
一方、紙幣認識部４により異常と鑑別された紙幣は、図３の矢印で示すように、リジェクト庫２９に集積される。リジェクト庫２９は、紙幣カセット７に設けられた集積機能のみを有する収納部であって、職員がリジェクト庫２９から紙幣を回収するには、扉１６の鍵１４を開錠し、さらに金庫ダイヤル１５を開錠して紙幣カセット収納ユニット１２０を引き出さなければならない。
【００３５】
しかしながら、鍵１４や金庫ダイヤル１５を開錠する権限が制限され、出金口回収作業を行う職員がかかる権限を有していない場合、職員は権限を有する者を呼んで来なければならず、リジェクト紙幣の回収作業が困難であった。
【００３６】
そこで、上記事情を一着眼点にして本発明の一実施形態による紙幣処理装置１０を創作するに至った。本発明の一実施形態による紙幣処理装置１０は、開錠に所定の権限を要するユニット外にリジェクト庫を配置する構造により、出金口回収におけるリジェクト紙幣回収の利便性を向上させることができる。以下、このような本発明の一実施形態による紙幣処理装置１０の構成および基本動作を説明した後に、本発明の一実施形態によるリジェクト紙幣の回収について詳細に説明する。
【００３７】
＜２．紙幣処理装置１０の構成および基本動作＞
［２−１．内部構造］
図４は、紙幣処理装置１０の内部構造を示す図である。図２に示したように、紙幣処理装置１０は、入金口１、出金口２、紙幣認識部４、搬送部５、紙幣カセット６Ａ〜６Ｄ、紙幣カセット８、およびリジェクト庫９を有する。
【００３８】
本実施形態による紙幣処理装置１０の構造は、図３に示す通常の紙幣処理装置１００の構造と比較すると、紙幣処理装置１００において装置上部に配置されていた一時保留部３の位置にリジェクト庫９が配置される点が異なる。また、図３に示す通常の紙幣処理装置１００において装置下部に配置されていたリジェクト庫付き紙幣カセット７の位置に紙幣カセット８が配置される点が異なる。以下、本実施形態による紙幣処理装置１０の各構成について説明する。
【００３９】
入金口１は、上述した通り、投入された紙幣を１枚ずつ繰り出す分離機能を有する。また、出金口２は、上述した通り、排出する紙幣を集積する集積機能を有する。なお、入金口１、および出金口２は、搬送路側に傾くことや、職員による取り出し口側に傾くことが可能な可動式であってもよい。
【００４０】
紙幣認識部４は、１枚ずつ通過していく紙幣の鑑別を行う。紙幣の進行方向は双方向に対応しており、紙幣認識部４は、入金口１方向から搬送される紙幣、およびその逆方向から搬送される紙幣の鑑別を行うことができる。具体的には、紙幣認識部４は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。リジェクト判定は、偽券、損券（汚損、損壊、外形異常等）、走行異常（スキュー紙幣、重走等）といった要因に基づいて行われる。また、リジェクト紙幣には、出金紙幣として取り扱えない二千円札および五千円札を含んでもよいし、外国紙幣を含んでもよい。
【００４１】
搬送部５は、紙幣を搬送する各搬送路、各搬送ローラ、および各搬送路を駆動する駆動機構を含む。駆動機構は、例えばＤＣサーボモータまたはパルスモータなどが回転することにより、搬送路を駆動する。搬送部５は、後述する制御部（図５の制御部１１参照）により制御され、紙幣を目的の搬送先に搬送する。
【００４２】
紙幣カセット６Ａ〜６Ｄおよび紙幣カセット８は、紙幣を金種毎に収納可能な紙幣収納部であって、紙幣の集積および分離の両方の機能を有する。また、紙幣カセット６Ａ〜６Ｄおよび紙幣カセット８は、同一金種のための複数の紙幣カセットを含んでもよい。例えば、紙幣カセット６Ａおよび６Ｃが一万円札用の紙幣カセットであり、紙幣カセット６Ｂ、６Ｄおよび紙幣カセット８が千円札用の紙幣カセットであってもよい。また、紙幣カセット６Ａ〜６Ｄおよび紙幣カセット８は、紙幣処理装置１０に対して着脱可能な構造になっており、個別に交換することで紙幣カセット６Ａ〜６Ｄおよび紙幣カセット８に紙幣を装填することも可能である。また、本実施形態による紙幣収納部（紙幣カセット６Ａ〜６Ｄおよび紙幣カセット８）は、紙幣処理装置１０に対して着脱可能なカセットに限定されず、紙幣処理装置１０に対して着脱不可能なスタッカーであってもよい。
【００４３】
なお、紙幣カセット８は、カセット計数回収時に各紙幣カセット６Ａ〜６Ｄから分離された紙幣を集積し、紙幣を回収してもよい。また、紙幣カセット８は、カセット計数補充時に、紙幣カセット８内に集積している紙幣を繰り出し、紙幣カセット６Ａ〜６Ｄに紙幣を補充してもよい。
【００４４】
また、本実施形態による紙幣カセット８は、紙幣処理装置１０に着脱可能に設けられてもよく、図３に示すようなリジェクト庫付き紙幣カセット７と交換することも可能である。
【００４５】
紙幣カセット８は、紙幣を集積する集積機能および１枚ずつ繰り出す分離機能を有する。また、紙幣カセット８は、カセット計数回収時に各紙幣カセット６Ａ〜６Ｄから分離された紙幣を集積し、紙幣を回収することができる。また、紙幣カセット８は、カセット計数補充に、紙幣カセット８内に集積している紙幣を繰り出し、紙幣カセット６Ａ〜６Ｄに紙幣を補充することができる。
【００４６】
リジェクト庫９は、紙幣を集積する集積機能のみ有する収納専用収納部である。リジェクト庫９は、紙幣認識部４によって異常と鑑別（リジェクト判定）された紙幣（リジェクト紙幣）を集積する。
【００４７】
また、本実施形態によるリジェクト庫９は紙幣処理装置１０に着脱可能に設けられてもよく、図３に示すような一時保留部３と交換することも可能である。一時保留部３は、紙幣の分離と集積の両方の機能を有する。例えば、一時保留部３は、入金取引時に入金口１から分離されて紙幣認識部４により正常と鑑別された紙幣を一時的に集積する。一時保留部３に集積された紙幣は、入金した紙幣の口座計上などが確定したなど、取引が成立した場合に繰り出され、紙幣認識部４を経て紙幣カセット６Ａ〜６Ｄなどに搬送される。なお、一時保留部３は、紙幣を順次重ねて集積する集積式であってもよいし、紙幣を順次巻いて収納するドラム式であってもよい。
【００４８】
以上、本実施形態による紙幣処理システムに含まれる紙幣処理装置１０の内部構造について詳細に説明した。上述した紙幣処理装置１０の構造は、紙幣処理装置１００の装置上部に設けられた一時保留部３を取り外し、一時保留部３が設けられていた位置にリジェクト庫９を装着することで実現することも可能である。この際、紙幣処理装置１００の紙幣カセット７に設けられたリジェクト庫２９は不要になるので、紙幣カセット７を取り外し、代わりに図４に示す紙幣カセット８を装着することで、紙幣収納容量が紙幣収納庫２８に比べて大きくなる。続いて、本実施形態による紙幣処理装置１０の機能構成について説明する。
【００４９】
［２−２．機能構成］
図５は、本実施形態による紙幣処理装置１０の機能構成を示すブロック図である。図５に示すように、紙幣処理装置１０は、制御部１１、記憶部１２、表示部１７、および操作部１９を備える。以下、各構成について説明するが、表示部１７および操作部１９は図１を参照して上述したので、ここでの説明は省略する。
【００５０】
制御部１１は、紙幣処理装置１０の動作全般を制御する。具体的には、制御部１１は、入金／出金取引、および補充／回収動作などの基本動作を制御する。各基本動作の詳細については、次の［２−３．基本動作］において説明する。また、制御部１１は、操作部１９から職員に指示された基本動作、または受付端末３０から職員に指示された基本動作を実行するよう紙幣処理装置１０全体を制御する。
【００５１】
また、本実施形態による制御部１１は、搬送部５を制御することにより、入金／出金取引、および補充／回収動作などの基本動作において紙幣の搬送を制御する。また、搬送制御部１３は、紙幣認識部４による鑑別結果に応じて紙幣の搬送を制御してもよい。
【００５２】
記憶部１２は、紙幣認識部４による鑑別結果や、入金金額および出金金額等から算出される紙幣処理装置１０の有高等を記憶する。
【００５３】
以上、本実施形態による紙幣処理装置１０の機能構成について説明した。なお、上述した制御部１１、および記憶部１２の機能は、ＣＰＵ（Ｃｅｎｔｒａｌ
Ｐｒｏｃｅｓｓｉｎｇ Ｕｎｉｔ）、ＲＯＭ（Ｒｅａｄ Ｏｎｌｙ Ｍｅｍｏｒｙ）、およびＲＡＭ（Ｒａｎｄｏｍ Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００５４】
［２−３．基本動作］
（入金取引）
本実施形態による紙幣処理装置１０で実行する入金取引においては、入金紙幣を一時保留部３へ退避させないで直接紙幣カセット６Ａ〜６Ｄに集積するダイレクト入金処理が有効である。図４を参照して上述したように、本実施形態による紙幣処理装置１０は、装置上部に通常設けられる一時保留部３を取り外してリジェクト庫９を装着しているためである。以下、ダイレクト入金処理について図６を参照して説明する。図６は、ダイレクト入金処理において、入金口１から１枚ずつ繰り出された紙幣が紙幣カセット６Ａ〜６Ｄに集積されるまでの搬送経路を示す図である。
【００５５】
ダイレクト入金処理においては、まず、入金口１から紙幣が１枚ずつ分離され、分離された紙幣は紙幣認識部４に搬送される。そして、紙幣認識部４による鑑別結果が正常であった紙幣は、金種に対応する紙幣カセット６Ａ〜６Ｄに集積される。一方、紙幣認識部４による鑑別結果が異常であった紙幣（リジェクト紙幣）は、出金口２に集積される。出金口２に集積された紙幣は、職員により再度入金口１に投入されることで、再鑑別が可能である。
【００５６】
このように、ダイレクト入金処理では、一時保留部３を有さない構造においても、入金取引を実現することができる。
【００５７】
一方、紙幣処理装置１０が、装置上部に設けられたリジェクト庫９とは別に一時保留部３を有する構造である場合や、リジェクト庫９が着脱可能であって、適宜一時保留部３と交換できる場合等、本実施形態による紙幣処理装置１０において入金取引が実行される際に紙幣処理装置１０が一時保留部３を有している場合も想定できる。よって、このような場合は、以下に説明する入金取引も可能である。
【００５８】
・一時保留部３を利用する入金取引
一時保留部３を利用する入金取引においては、まず、入金口１から紙幣が１枚ずつ分離され、分離された紙幣は紙幣認識部４に搬送される。そして、紙幣認識部４による鑑別結果が正常であった紙幣は、紙幣認識部４から一時保留部３に集積される。その後、入金金額が確定されると、集積処理に移行する。
【００５９】
一方、紙幣認識部４による鑑別結果が異常であった紙幣（リジェクト紙幣）は、出金口２に集積される。出金口２に集積された紙幣は、職員により再度入金口１に投入されることで、再鑑別が可能である。
【００６０】
集積処理においては、まず、一時保留部３から紙幣が１枚ずつ分離され、分離された紙幣が紙幣認識部４に搬送される。そして、紙幣認識部４による鑑別結果が正常であった紙幣は、金種に対応する紙幣カセット６Ａ〜６Ｄに集積される。一方、一万円札および千円札の汚損券、折れ紙幣、二千円札、五千円札、スキュー紙幣などの走行異常紙幣のように、紙幣認識部４による鑑別結果が異常であった紙幣（リジェクト紙幣）は、リジェクト庫９に集積される。
【００６１】
一方、入金金額が確定する前に、入金紙幣の返却（キャンセル）が指示されると、返却処理に移行する。返却処理においては、まず、一時保留部３から紙幣が１枚ずつ分離され、分離された紙幣が紙幣認識部４に搬送される。そして、紙幣認識部４による鑑別結果が正常／異常いずれであっても、全ての紙幣を出金口２へ集積する。
【００６２】
（出金取引）
出金取引においては、まず、指定された金額に応じて紙幣カセット６Ａ〜６Ｄから紙幣が１枚ずつ分離され、分離された紙幣は紙幣認識部４に搬送される。
【００６３】
そして、紙幣認識部４による鑑別結果が正常であった紙幣は、出金口２に集積される。具体的には、例えば出金する正常紙幣の金種や枚数に応じて、出金口２から選択的に出金される。一方、紙幣認識部４による鑑別結果が異常であった紙幣、すなわち、顧客に支払いできない紙幣は、リジェクト庫９に集積される。
【００６４】
（補充動作）
補充動作は、紙幣処理装置１０に紙幣を補充する基本動作である。本実施形態による紙幣処理装置１０では、具体的な補充方法として、投入口補充、カセット交換補充、およびカセット計数補充が可能である。以下、各補充方法について順次説明する。
【００６５】
・投入口補充
投入口補充は、上述した入金取引および集積処理における動作と同様である。例えば、入金口１（投入口）から集積された紙幣が１枚ずつ分離され、分離された紙幣は紙幣認識部４に搬送される。そして、紙幣認識部４による鑑別結果が正常であった紙幣は、金種に対応する紙幣カセット６Ａ〜６Ｄに集積される。一方、紙幣認識部４による鑑別結果が異常であった紙幣は、出金口２に集積される。
【００６６】
・カセット交換補充
カセット交換補充においては、紙幣カセット６Ａ〜６Ｄが着脱可能であることを利用し、予め紙幣を装填した紙幣カセットを、紙幣カセット６Ａ〜６Ｄのいずれかと交換することで、紙幣を補充する。なお、カセット交換補充では、補充した紙幣の金種と枚数をオペレータがマニュアルで登録する必要がある。
【００６７】
・カセット計数補充
カセット計数補充においては、紙幣カセット８に予め紙幣を装填し、紙幣処理装置１０にセットする。そして、紙幣カセット８から１枚ずつ紙幣が繰り出され、繰り出された紙幣は紙幣認識部４に搬送される。そして、紙幣認識部４による鑑別結果が正常であった紙幣は、金種に対応する紙幣カセット６Ａ〜６Ｄに集積される。一方、紙幣認識部４による鑑別結果が異常であった紙幣は、リジェクト庫９に集積される。このように、カセット計数補充では、紙幣認識部４により計数処理が実行されるので、補充した紙幣の金種および枚数をオペレータがマニュアルで登録する必要はない。
【００６８】
（回収動作）
回収動作は、紙幣処理装置１０内の紙幣を回収する基本動作である。本実施形態による紙幣処理装置１０では、具体的な回収方法として、出金口回収、カセット交換回収、およびカセット計数回収が可能である。出金口回収については、＜３．出金口回収＞において詳細に説明する。ここでは、カセット交換回収、およびカセット計数回収について順次説明する。
【００６９】
・カセット交換回収
カセット交換回収においては、紙幣カセット６Ａ〜６Ｄが着脱可能であることを利用し、紙幣が集積された所定の紙幣カセット６を、紙幣処理装置１０から取り外すことで、回収業務を行う。なお、カセット交換回収では、オペレータが、取り外した紙幣カセット６から紙幣を抜き取り、回収した紙幣の金種と枚数をマニュアルで数える必要がある。
【００７０】
・カセット計数回収
カセット計数補充においては、まず、紙幣カセット６Ａ〜６Ｄのうち回収対象の紙幣カセットから１枚ずつ紙幣が繰り出され、繰り出された紙幣は紙幣認識部４に搬送される。そして、紙幣認識部４による鑑別結果が正常であった紙幣は、紙幣カセット８に集積される。一方、紙幣認識部４による鑑別結果が異常であった紙幣は、リジェクト庫９に集積される。
【００７１】
このような処理が回収対象の紙幣カセット６に集積された全紙幣に対して行われた後、オペレータは、紙幣カセット８およびリジェクト庫９を紙幣処理装置１０から取り外すことで、正常判定された紙幣および異常判定された紙幣を回収することができる。また、カセット計数回収では、紙幣認識部４により計数処理が実行されるので、回収した紙幣の金種および枚数をオペレータがマニュアルで数える必要はない。
【００７２】
以上説明した回収方法は、いずれも紙幣カセット６や紙幣カセット７、リジェクト庫８を取り外して紙幣を回収するが、特に紙幣カセット６および紙幣カセット７の取り外す場合は、図４を参照して上述したように、所定の権限を有する者により鍵１４および金庫ダイヤル１５を開錠する必要がある。したがって、回収作業を行う職員がかかる権限を有していない場合は、紙幣の回収が困難であった。
【００７３】
そこで、本発明の一実施形態による紙幣処理装置１０では、次に説明する出金口回収動作によって、所定の権限を有さない職員でも全ての紙幣を回収することが可能になる。
【００７４】
＜３．出金口回収＞
本実施形態による紙幣処理装置１０は、図４を参照して上述したように、施錠されていない装置上部にリジェクト庫９が設けられる。これにより、出金口回収動作において、鍵１４や金庫ダイヤル１５を開錠しなくとも、職員は全ての紙幣を回収することができる。以下、図７を参照して具体的に説明する。
【００７５】
図７は、本発明の一実施形態による出金口回収における紙幣の搬送経路を示す図である。出金口回収においては、図７の矢印で示すように、まず、回収対象の紙幣カセット６から１枚ずつ紙幣が分離され、分離された紙幣は紙幣認識部４に搬送される。そして、紙幣認識部４による鑑別結果が正常であった紙幣は、出金口２に集積される。職員は、出金口２から正常と判定された紙幣を回収することができる。
【００７６】
一方、紙幣認識部４による鑑別結果が異常であった紙幣は、リジェクト庫９に集積される。リジェクト庫９は図７に示すように、紙幣処理装置１０の上部に設けられ、何ら施錠はされていない。したがって、職員は、紙幣カセット格納ユニット１２０（金庫）にアクセスするための鍵１４や金庫ダイヤル１５を開錠する必要なく、リジェクト庫９を取り外し、リジェクト紙幣を回収することができる。
【００７７】
以上説明したように、本実施形態によれば、リジェクト庫９が、開錠に所定の権限を要する紙幣カセット格納ユニット１２０（金庫）外に設けられるので、金庫へのアクセス権限を有しない職員であっても、出金口回収においてリジェクト庫９からリジェクト紙幣を回収することができ、出金口回収の利便性が向上する。
【００７８】
（変形例）
図７に示した例では、リジェクト庫９は何ら施錠がされていないが、本実施形態はこれに限定されない。本実施形態は、例えばリジェクト庫９へのアクセス権限が制限されている場合にも適用可能である。以下、図８を参照して具体的に説明する。
【００７９】
図８は、本実施形態の変形例について説明するための図である。図８に示すように、本変形例による紙幣処理装置２０は、図７に示す紙幣処理装置１０の構造と異なり、リジェクト庫９へのアクセスを制限する鍵１８が設けられている。鍵１８は、紙幣カセット格納ユニット１２０（金庫）へのアクセスを制限する鍵１４や金庫ダイヤル１５とは異なる。
【００８０】
このような構造を有する紙幣処理装置２０において出金口回収動作が実行される場合は、紙幣は図８の矢印で示す経路で搬送される。出金口回収動作の制御内容は、図７を参照して説明した上記実施形態と同様である。したがって、上述したように、出金口２には紙幣認識部４により正常と鑑定された紙幣が集積されるので、職員は出金口２から正常紙幣を回収することができる。
【００８１】
一方、紙幣認識部４により異常と鑑別された紙幣は、リジェクト庫９に集積される。上述したように、リジェクト庫９へのアクセスを制限する鍵１８は、金庫へのアクセスを制限する鍵１４や金庫ダイヤル１５と異なるので、金庫へのアクセス権限を有していない職員であっても、鍵１８を開錠できる職員であれば、リジェクト庫９からリジェクト紙幣を回収することができる。
【００８２】
＜４．まとめ＞
以上説明したように、本発明の一実施形態によれば、開錠に所定の権限を要する紙幣カセット格納ユニット１２０外にリジェクト庫９を配置する構造により、出金口回収におけるリジェクト紙幣回収の利便性を向上させることができる。
【００８３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８４】
例えば、紙幣処理装置１０に内蔵されるＣＰＵ、ＲＯＭおよびＲＡＭなどのハードウェアを、上述した紙幣処理装置１０の制御部１１と同等の機能を発揮させるためのコンピュータプログラムも作成可能である。また、該コンピュータプログラムを記憶させた記憶媒体も提供される。
【００８５】
また、上記［２−３．基本動作］で説明した基本動作では、紙幣カセット８は補充／回収のみに利用しているが、本実施形態はこれに限定されず、紙幣カセット６Ａ〜６Ｄと同様に取り扱うことも可能である。これにより、入金／出金取引等に利用できる紙幣カセットを増やすことができる。
【００８６】
また、上述した実施形態は、本実施形態による紙幣処理装置１０を、職員操作型端末に適用して説明したが、本実施形態による紙幣処理装置１０は、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【００８７】
１      入金口
２      出金口
３      一時保留部
４      紙幣認識部
５      搬送部
６、６Ａ〜６Ｄ、８    紙幣カセット
７      リジェクト庫付き紙幣カセット
９、２９      リジェクト庫
１０、２０    紙幣処理装置
１１    制御部
１２    記憶部
１４    鍵
１５    金庫ダイヤル
１６    扉
１７    表示部
１９    操作部
２８    紙幣収納庫
３０、３０ａ、３０ｂ    受付端末
３２    専用網
３５    金融機関ホスト
【図１】
0005821588.tif 000002
【図２】
0005821588.tif 000003
【図３】
0005821588.tif 000004
【図４】
0005821588.tif 000005
【図５】
0005821588.tif 000006
【図６】
0005821588.tif 000007
【図７】
0005821588.tif 000008
【図８】
0005821588.tif 000009